(57)【要約】【課題】携帯して持ち運ぶのが容易なように、小型化を図るとともに、ボードゲームに必要な駒を可及的になくして、旅先などでも手軽にゲームを行うのに適したゲーム盤面シート、及び、使い捨てのゲーム盤面シートセットを提供する。【解決手段】ボードゲームに必要な駒をなくして、その駒をゲーム盤面シートに載置する代わりに、当該駒を配置することが予測される部位に予め１又は複数のチェックボックスを形成することを特徴とする。これにより、ボードゲームに必要な駒を排除して、振動などにより駒が飛散するなどの問題を回避するとともに、前記ゲーム盤面シートを使い捨てにすることによって当該ゲーム盤面シートをゲームの経過又は結果の記録紙として兼用することが可能となる。【選択図】　　　　　図２
2004105361.tif 000002
【特許請求の範囲】
【請求項１】
複数のゲームプレーヤで所定のゲームルールにしたがってゲームプレーを行うことが可能なゲーム盤面シートであって、当該ゲーム盤面シートの表面には、ゲームプレーフィールドを印刷形成するとともに、前記ゲームルールに則って前記ゲームプレーヤが自らの意思で前記ゲームプレーフィールド上に駒を配置する可能性のある複数の部位に、前記ゲームプレーヤが筆記具によってチェックを入れる又は塗りつぶすことで前記駒を配置したと見做すためのチェックボックスを印刷により設けることを特徴とするゲーム盤面シート。
【請求項２】
前記ゲームプレーフィールドを前記ゲーム盤面の略中央を含む領域に部分的に印刷形成するとともに、当該ゲームプレーフィールドの外側の前記ゲーム盤面シート上に、前記ゲームプレーヤが前記ゲームルールによって使用可能とされる駒数を管理するための使用可能駒数管理チェックボックスを印刷形成することを特徴とする請求項１に記載のゲーム盤面シート。
【請求項３】
前記ゲームプレーフィールドを前記ゲーム盤面の略中央を含む領域に部分的に印刷形成するとともに、他のゲームプレーヤとの比較で最も多く所有することが当該ゲームプレーヤにとって有利に働くイベントカードを印刷形成し、前記イベントカードの近傍の前記ゲーム盤面シート上に複数のチェックボックスを印刷により設けることを特徴とする請求項１又は２に記載のゲーム盤面シート。
【請求項４】
複数のゲームプレーヤで所定のゲームルールにしたがってゲームプレーを行うことが可能なゲーム盤面シートであって、当該ゲーム盤面シートの表面には、ゲームプレーフィールドを印刷形成するとともに、前記ゲームルールに則って前記ゲームプレーヤが自らの意思で前記ゲームプレーフィールド上に駒を配置する可能性のある複数の部位に、前記ゲームプレーヤが筆記具によってチェックを入れる又は塗りつぶすことで前記駒を配置したと見做すためのチェックボックスを印刷により配置してなり、
前記ゲーム盤面シートの複数を一つの包装体に収納してなることを特徴とする使い捨てのゲーム盤面シートセット。
【発明の詳細な説明】
【０００１】
【発明の属する技術分野】
この発明は、チェスや将棋、或いはオセロ、すごろくなどのボードゲームに関し、詳しくは、ドイツゲームで著名な「カタンの開拓者たち（Ｓｅｔｔｌｅｒ　ｏｆ　Ｃａｔａｎ）」のようなボードゲームの改良に関する。
【０００２】
【従来の技術】
従来、ゲームを外出先で手軽に行えるようにするために、その携帯容易性や小型化及びゲーム中の振動対策に様々な工夫が行われている。例えば、ボードゲームとして代表的な碁や将棋においては、前述した振動対策として、以下に例示する特許文献１に開示されているように、ゲーム盤面として磁性体金属薄板を採用し、当該ゲーム盤面に対してマグネットシートからなる碁石を磁力で吸着させて電車内などの乗り物の振動で碁石が飛散しないようにしている。
【０００３】
このように、碁や将棋或いはオセロやチェスのように、特定の駒を利用してゲームを行うボードゲームにおいては、その駒が移動中の車内における振動によって飛散しないように磁力を利用することは有効な手段であるものの、その反面、前記ゲーム盤面から駒を除去することが当該駒の小型化を追求すればするほど困難になるといった問題があった。
【０００４】
この対策として、前記特許文献１においては、前記マグネットシートで形成された碁石の吸着磁力に抗して前記ゲーム盤面への吸着を解除するために専用の碁石吸着具を採用することを提案している。この碁石吸着具は、半導体ウェハーを裁断した超小型のチップをリードフレームのダイにダイボンディングするためのコレットに類似したものである。
【０００５】
なお、このような紙面などのシートに対する印刷レイアウトに関するものとして、以下に例示する実用新案文献２のような元帳、特許文献３のような持ち家負担推移表、特許文献４のクレジット売上金の精算及び入金管理に使用する帳票のような特許権や実用新案権が既に登録されているが、本発明とは、技術分野を全く異にするものである。
【０００６】
【特許文献１】
特開平７−２２７４５５号
【０００７】
【実用新案文献２】
実用新案登録第２５９６８３４号
【特許文献３】
特許第３０３６９９７号
【特許文献４】
特許第２７０７２２２号
【０００８】
【発明が解決しようとする課題】
しかるに、上述した磁石を利用した振動対策は、駒の飛散防止に効果があるものの、小型化を図ろうとすると、前述した特許文献１に提案されているような碁石吸着具を新たに採用しなければならなくなり、部品点数が増えるといった弊害が生じる。
【０００９】
しかも、マグネット方式は、コストアップを招来し、比較的高価なゲーム盤面を旅先でゲームを行い帰りに荷物にならないように気軽に廃棄してしまう、といった使用形態に適さないものであった。
【００１０】
また、磁石で駒を固定して何度でも使用可能としているため、ゲームを繰り返して複数回のトータル勝敗で競い合う場合には、その勝敗結果又は点数などを別の記録用紙にわざわざ記録する必要があるといった問題があり、振動の大きい乗り物の中で筆記具でメモをとることは煩わしいものであった。
【００１１】
この発明は、ボードゲームにおける駒に対して磁力などの特別な構成を採用することなく振動対策が可能で、小型化も達成可能なゲーム盤面シート、及び、使い捨てのゲーム盤面シートセットを提供することを目的としている。
【００１２】
【課題を解決するための手段】
以上のような問題点に鑑み、本発明では、ボードゲームに必要な駒をなくして、その駒をゲーム盤面シートに載置する代わりに、当該駒を配置することが予測される部位に予め１又は複数のチェックボックスを形成することを特徴としている。
【００１３】
また、前述したように駒をなくすことにより、ゲームルールにおいて使用可能な駒数を超えてゲーム盤面シートに設けられるチェックボックスに、チェック又は塗りつぶしを行ってしまう恐れのある問題点を解消するために、ゲーム盤面シートの中央に形成されるプレーフィールドの外側の部位に、複数のゲームプレーヤが各々使用可能な使用可能駒数管理チェックボックスを、同時にプレー可能な最大のゲームプレーヤ数と同じ数だけ形成することを第２の特徴としている。
【００１４】
さらに、この種のボードゲームには、イベントカードをゲームルールで取り決められた条件に応じて、複数のイベントカードからなるデッキから所定枚数だけ引いて、その引いたイベントカードを最も多く所有するゲームプレーヤに有利な状態にするといったゲームルールが採用されているが、このイベントカードをなくす又は少なくするために、前記ゲーム盤面シートの中央に形成されるプレーフィールドの外側の部位の前記ゲーム盤面シート上に、他のゲームプレーヤとの比較で最も多く所有することが当該ゲームプレーヤにとって当該ゲーム上で有利に働く前記イベントカードを設け、このイベントカードの近傍の前記ゲーム盤面シート上に複数のチェックボックスを設けることを第３の特徴としている。
【００１５】
そして、第４の特徴としては、前述したようなゲーム盤面シートの複数からなるゲーム盤面シートの複数毎を一つの包装体に同梱してなることを特徴としている。
【００１６】
より詳しくは、以下に記述する構成の発明を提供する。
【００１７】
第１の発明は、複数のゲームプレーヤで所定のゲームルールにしたがってゲームプレーを行うことが可能なゲーム盤面シートであって、当該ゲーム盤面シートの表面には、ゲームプレーフィールドを印刷形成するとともに、前記ゲームルールに則って前記ゲームプレーヤが自らの意思で前記ゲームプレーフィールド上に駒を配置する可能性のある複数の部位に、前記ゲームプレーヤが筆記具によってチェックを入れる又は塗りつぶすことで前記駒を配置したと見做すためのチェックボックスを印刷により設けることを特徴とする。
【００１８】
前記チェックボックスは、前記筆記具によってレ点のようなチェックを入れる方式の他、前記チェックボックスを前記筆記具でマークシートを塗りつぶすのと同様に塗りつぶすように使用することも可能である。そして、チェックボックスは、以下の実施の形態で引用する図面に記載のように、線図によって枠状に囲んだ枠で構成することもできるし、点線で前記枠を構成することも可能である。しかも、駒を配置したと見做し易いように、前記チェックボックスの枠形状が、前記駒のイメージと対応する枠形状とすることが好ましい。例えば、前記駒が家であれば、家の外形をイメージする枠形状とし、前記駒が街であれば、前記家より大きな街をイメージするような枠形状を採用すると、ゲームプレーヤがチェックする場合や、塗りつぶす場合に、対象となるチェックボックスを容易に理解することができるようになる。勿論、このようにゲームプレーヤが駒を配置したことをイメージし易いような線枠で前記チェックボックスを採用しても良いが、このような構成に限らず、後述する図７に示すように、チェックボックスを一つの三角形等の多角形枠線とし、この枠に沿ってなぞると家の駒を配置したこと、当該枠内を塗りつぶすと街の駒を配置したと見做すように構成することも可能である。
【００１９】
この発明によれば、従来必要であったボードゲームの駒をなくして、車内などの振動が発生する恐れのある場所でゲームを行う場合においても、前記駒が飛散するなどの問題を、磁石などの特別な手段を講じることなく、又、磁石などの特別な手段を講じることで新たな問題が発生するなどの恐れもなく解消することが可能となる。
【００２０】
前記筆記具の色は、どのゲームプレーヤが駒を配置したかを判別するために異なる色の筆記具を使用することが好ましい。したがって、前記第１の発明のゲーム盤面と最大ゲームプレーヤ数に応じた色の筆記具を１つのゲームセットとして提供することが好ましい。
【００２１】
しかしながら、このように異なる色の筆記具をゲームプレーヤが使用するようにする以外の方策としては、予めゲームプレーヤの数に応じた色の異なる前記チェックボックスを前記ゲーム盤面シート上に印刷形成することが考えられる。
【００２２】
第２の発明としては、前記ゲームプレーフィールドを前記ゲーム盤面の略中央を含む領域に部分的に印刷形成するとともに、当該ゲームプレーフィールドの外側の前記ゲーム盤面シート上に、前記ゲームプレーヤが前記ゲームルールによって使用可能とされる駒数を管理するための使用可能駒数管理チェックボックスを印刷形成することを特徴としている。この使用可能駒数管理チェックボックスは、前記ゲームルールによって使用可能な最大駒数と一致する数だけ設けることがより好ましい。
【００２３】
この発明によれば、前記ゲーム盤面シート上に駒を配置する代わりにチェックボックスにゲームプレーヤがチェックを入れることにより駒を配置したと見做すようにした場合でも、前記ゲームルールに照らした最大配置駒数を超えて配置することがないように、そのゲームプレーヤ自身や他のゲームプレーヤからも容易にチェックすることが可能となるのである。
【００２４】
第３の発明としては、前記ゲームプレーフィールドを前記ゲーム盤面の略中央を含む領域に部分的に印刷形成するとともに、他のゲームプレーヤとの比較で最も多く所有することが当該ゲームプレーヤにとって有利に働く前記イベントカードを印刷形成し、このイベントカードの近傍の前記ゲーム盤面シート上に複数のチェックボックスを印刷により設けることを特徴としている。
【００２５】
この発明によれば、イベントカードを使用するゲームであっても当該イベントカードをなくすか、或いは少なくしてゲーム自体の部品点数を少なくするとともに、前記イベントカードの複数毎からなるデッキを配置するスペースを車内などの狭い限られたスペースに確保することがなくなるといったメリットがある。
【００２６】
第４の発明の使い捨てゲーム盤面シートセットとしては、複数のゲームプレーヤで所定のゲームルールにしたがってゲームプレーを行うことが可能なゲーム盤面シートであって、当該ゲーム盤面シートの表面には、ゲームプレーフィールドを印刷形成するとともに、前記ゲームルールに則って前記ゲームプレーヤが自らの意思で前記ゲームプレーフィールド上に駒を配置する可能性のある複数の部位に、前記ゲームプレーヤが筆記具によってチェックを入れる又は塗りつぶすことで前記駒を配置したと見做すためのチェックボックスを印刷により配置してなり、前記ゲーム盤面シートの複数を一つの包装体に収納してなることを特徴としている。
【００２７】
この発明によれば、先述した第１の発明と同様の効果を期待できるとともに、複数のゲーム盤面シートを使用して、ゲームを行うごとに前記ゲーム盤面を使い捨てることが可能となるから、前記ゲーム盤面を紙などの安い素材で形成することが可能となるとともに、その使用済みのゲーム盤面を残しておけば、わざわざゲームの勝敗履歴などのゲーム結果を別の用紙に書きとめる必要なく、記録することが可能となるといったメリットがある。すなわち、使用済みのゲーム盤面シートを記録紙として使用することができるといった効果がある。勿論、前記ゲーム盤面シートの表面に、ホワイトボードの表面に形成されるような、硬質製の透明樹脂コーテイング層を形成し、前記筆記具でチェックを入れた又は塗りつぶした部位を繰り返し消去して使用可能な構成を採用することも可能である。
【００２８】
このような記録紙としての観点から前記ゲーム盤面シートを考えた場合には、前記ゲーム盤面の表面又は裏面に、ゲームを行った日付又は対戦相手を記載できる欄を設けることによって、より記録紙としての効果を向上させることができるし、旅の思い出として写真などと一緒にアルバムに残しておく際にメリットがある。
【００２９】
【発明の実施の形態】
以下、図に沿って本発明を、ドイツゲームで著名な「カタンの開拓者たち（Ｓｅｔｔｌｅｒ　ｏｆ　Ｃａｔａｎ）」のボードゲームに適用したゲーム盤面シート及び使い捨てのゲーム盤面シートセットについて説明する。しかしながら、この発明は、前述したようなボードゲームに係わらず他のボードゲームに適用できるのは勿論である。
【００３０】
図１に示すのは、本発明を適用した前記ボードゲームセットの部品構成図とその説明である。
【００３１】
このボードゲームセットは、筆記具としての４色のカラーペン１，１，１，１と、紙ＭＡＰ（ゲーム盤面シート）１０の複数と、ミニカプセルダイス２と、資源カード３と、チャンスカード４と、図示しない盗賊カードとを、一つのセットとして図示しない包装容器内に梱包して構成されている。前記ミニカプセルダイスは、円柱状の樹脂製の密閉透明カプセル内に一対のダイスを収納して構成したもので、前記密閉透明カプセル内に複数のダイスを収納する構成を採用しているため、当該カプセルからダイスを取り出すことなくゲームプレーヤがダイスを振り、前記密閉透明カプセル内に配置されるダイスの出目を視認することができる。したがって、旅先などの乗り物の中でダイスを振っても、ダイスが飛散して失ってしまうなどの問題を解消することができる。
【００３２】
前記ボードゲームセットは、初期のセットであって、このボードゲームの場合には、前記ゲーム盤面シートを使い捨て可能に構成している関係から、別のセットとしてゲーム盤面シート１０の複数のみをゲーム盤面シートセットとして用意し、前記ゲーム盤面シート１０の複数のみをゲームプレーヤが購入できるように包装体に同梱で構成することが好ましい。前述したゲームセットには、複数のゲーム盤面シート１０が含まれており、当該ゲームセットは本発明のゲーム盤面シートセットの下位概念に相当する。
【００３３】
図１にも示すように、このボードゲームセットは、「安価にする」、「小さくする」、「駒（コマ）やカードをなるべく使用しない」、「ゲーム性を一切変えない」の４つの点を実現できるように工夫を凝らしたものである。特に、この実施の形態のボードゲームセット（紙カタン）では、従来厚手のボール紙で構成されていたゲーム盤面シート１０を薄手の紙に置き換え、このゲーム盤面シートを使い捨て可能なように構成することが要部のひとつとなっている。
【００３４】
図２に示すのは、前記ゲーム盤面シート１０の平面図である。中央部分に貼り付けられている符号５は、盗賊シールであって、当該盗賊シール５は複数回貼着及び剥離が可能に構成されており、より具体的には、ポストイット（商品名）の構成と同様の貼付着剤を盗賊シートの裏面に印刷して盗賊シール５を構成している。したがって、図２では、複数の六角形状領域１１Ａ，・・・，１１Ａからなるゲームプレーエリア１１の中央の前記六角形状領域１１Ａに前記盗賊シールを貼り付けしているが、他の六角形状領域１１Ａに貼り付けることもできる。この盗賊シール５の貼り付ける位置によってゲーム自体への影響が変化する。
ドイツでの「カタン」の場合には、上記複数種類の六角形状のゲームフィールドチップをゲームを開始する前に、一緒にゲームを行うゲームプレーヤ皆で、又は、単独のゲームプレーヤが組み立てて前記ゲームフィールドを組み立て形成するが、この実施の形態のゲームフィールドは、予めゲーム盤面シートに印刷されており、このような組み立ての必要もなく、ゲーム時間の短縮に寄与することができるとともに、一時中断する場合でも、複数の前記ゲームフィールドチップの組合せ方を記憶しておき、次のゲーム開始時に再現するなどの面倒な作業が必要でなくなるといった利点がある。そして、前記ゲーム盤面シートに予め印刷される複数種類の六角形状領域１１Ａ，・・・，１１Ａの組合せ方は、前記ゲーム盤面シート１０ごとに異なるように梱包した、前記ゲーム盤面シートセットを用意することが、ゲーム盤面シートを選択したりすることができることから、より面白いゲーム性を提供することが可能となる。
【００３５】
前記ゲーム盤面シート１０は、複数のゲームプレーヤで所定のゲームルールにしたがってゲームプレーを行うことが可能なゲーム盤面としての役割を担うものであり、当該ゲーム盤面シート１０の表面中央部分には、ゲームプレーフィールド１１（図３のハッチン形成部分）を印刷形成するとともに、前記ゲームルールに則って前記ゲームプレーヤが自らの意思で前記ゲームプレーフィールド１１上の駒を配置する可能性のある複数の部位１２に、前記ゲームプレーヤが筆記具としてのカラーペン１によって塗りつぶすことで前記駒を配置したと見做すための線枠形状のチェックボックス１３を設ける。勿論、このチェックボックス１３に対して、前述したような塗りつぶしを行うことなく、単なるチェックを入れることでゲームを進めるようにすることも可能である。前記複数の部位１２，・・・，１２は、この実施の形態のボードゲームの場合には、家や街を建てるための部位であって、前記駒は、家や街の駒に相当するものである。前記チェックボックス１３は、外形が線状の枠から構成されており、この枠は、前記駒をイメージする対象とする駒ごとに異なる枠形状を採用して、ゲームプレーヤがチェック又は塗りつぶしを行う場所を間違わないように予防するようにしている。
【００３６】
そして、ゲームプレーフィールド１１の外側の四隅角部分には、前記ゲーム盤面シート１０上で前記ゲームプレーヤが前記ゲームルールによって使用可能とされる駒数を管理するための使用可能駒数管理チェックボックス１４，１５，１６がそれぞれ印刷形成されている。前記ゲームプレーフィールド１１の外側の四隅角部分に使用可能駒数管理チェックボックス１４，１５，１６がそれぞれ印刷形成している理由は、この実施の形態の場合には、最大で４人のゲームプレーヤでボードゲームにより遊べるように構成されているためである。
【００３７】
そして、このボードゲームでは、街（使用可能駒数管理チェックボックス１４に相当）が４つ、家（使用可能駒数管理チェックボックス１５に相当）が５つ、道（使用可能駒数管理チェックボックス１６に相当）が１５を上限にゲームプレーヤが使用可能なゲームルールになっており、この上限に対応した前記使用可能駒数管理チェックボックス１４，１５，１６の数がゲーム盤面シート１０の表面の隅角部分の四隅に夫々印刷形成されている。
【００３８】
４人のゲームプレーヤは、異なる隅角部分に形成される使用可能駒数管理チェックボックス１４，１５，１６群に使用した駒だけのチェックを随時入れることによって、自分又は他のゲームプレーヤがゲームルール制限以上の駒を使用していないかのチェックを容易に行うことができるとともに、駒をなくして使用中に駒を紛失するなどの恐れを回避し、実際の駒を使用しない分だけコストダウンすることができるのである。前記使用可能駒数管理チェックボックス１４，１５，１６の枠形状についても、前記チェックボックス１３の枠形状と同様の理由によって、家、街、道をイメージする枠形状を採用している。
【００３９】
また、ゲーム盤面シート１０を使用してゲームを行っている状態から一旦当該ゲームを中断し再開することも考えられるが、この場合には、前記４つの隅角部分のどの使用可能駒数管理チェックボックス１４，１５，１６を使用していたかが判らなくなる可能性があるため、前記使用可能駒数管理チェックボックス１４，１５，１６群の近傍のゲーム盤面シート１０表面には、それぞれカラーチェックボックス１７，１７，１７，１７を印刷形成しており、ゲームが開始されると直ちに各ゲームプレーヤが自分の使用色のカラーペン１でチェックを入れて、その使用可能駒数管理チェックボックス１４，１５，１６がどのゲームプレーヤの使用しているものなのかを明確にできるようにしている。
【００４０】
また、前記ゲームプレーフィールド１１を前記ゲーム盤面シート１０の略中央を含む領域に部分的に印刷形成するとともに、他のゲームプレーヤとの比較で最も多く所有することが当該ゲームプレーヤにとって、そのゲーム上で有利に働く前記イベントカード２０，２０を印刷形成し、このイベントカード２０の近傍の前記ゲーム盤面シート上に複数のチェックボックス２１，・・・，２１を印刷により設けている。図１，図２，図３を参照して、前記イベントカード２０は、ゲーム盤面シート１０の対向する隅角部分に印刷形成した一対の使用可能駒数管理チェックボックス１４，１５，１６群の形成領域１８，１８間に配置されている。
【００４１】
（本実施の形態のボードゲームの遊び方）
前述したようにドイツゲームで著名な「カタンの開拓者たち（Ｓｅｔｔｌｅｒｏｆ　Ｃａｔａｎ）」のボードゲームは、「時は中世、大航海時代。未知の世界へ多くの探検家たちが旅立ち、ついにカタンと呼ばれる島が発見されました。広大な大地に豊富な資源を蓄えた島に、時の開拓者たちは、島の覇権を我が物にすべく次々と移民を開始しました。カタン島の開拓競争が、今まさに始まろうとしています」といったプロローグが設定されている。
【００４２】
そして、前記開拓者になりきった各ゲームプレーヤが、ゲーム盤面シート１０の４つの使用可能駒数管理チェックボックス１４，１５，１６群の形成領域１８のどの領域１８を使用するのかを明確にするために、前記カラーチェックボックス１７にカラーペン１でチェックを入れる。（図４（Ａ）の（１）〜（３）参照）
【００４３】
次に、各ゲームプレーヤは、前記カタン島としてのゲームフィールド１１上の任意に家を建てる可能性のある複数の部位１２，・・・，１２から２箇所の部位１２，１２を選び、その選んだ部位１２，１２のチェックボックス１３の家チェックボックス１３Ａを塗りつぶすとともに、家用の使用可能駒数管理チェックボックス１５，１５にチェックを入れる。（図４（Ｂ）の（１）〜（３）参照）
さらに、前記家を建てたと見做すために塗りつぶしたチェックボックス１３Ａを設けた部位１２と、他の部位１２とをつなぐ、道を形成可能な帯状領域１９に道を形成したと見做すために線上のチェックを入れるとともに、道用の使用可能駒数管理チェックボックス１６にチェックを入れる。（図５（Ａ）の（１）〜（３）参照）
【００４４】
更に、前記ゲームルールに定められた所定の条件が揃うと、前記家を街にグレードアップすることができるようになっており、この場合には、グレードアップすべき家のチェックボックス１３の全体を塗りつぶすとともに、街用の使用可能駒数管理チェックボックス１４にチェックを入れる。（図５（Ｂ）の（１）〜（３）参照）
【００４５】
なお、このゲームルールにおいては、前記家がグレードアップされた街になるように取り決められている関係から、グレードアップした時に街の使用数は１増えるが、家は１減る為、家の使用数を制限するチェックボックスを増やす必要がある。この問題を解消するために、街のチェックボックス１４の中に家のチェックボックス１５’を印刷形成し、この街のチェックボックス１４内の家のチェックボックス１５’を、街のチェックボックス１４にチェックが入っていた場合に使用可能なルールとして、数の増減による問題点を解消可能にしている。（図６（Ａ）の（１），（２）参照）
【００４６】
最後に、本ボードゲームの勝敗は点数に依存するように取り決めており、この点数の計算には、前記使用可能駒数管理チェックボックス１４，１５，１６群の形成領域１８内のチェック数を数えることで簡単に各ゲームプレーヤの点数の計算を行うことができるようになっている。（図６（Ｂ）参照）
【００４７】
（ゲーム盤面シートの変形例）
図７に示すのは、前記ゲーム盤面シート１０の変形例である。この変形例では、前述したように、前記複数の部位１２，・・・，１２には、家や街の駒に相当するチェックボックス１３が配置されるが、その枠形状が前述した実施の形態のゲーム盤面シート１０とは異なる枠形状の線枠で構成している。つまり、前述した実施の形態のチェックボックス１３は、前記線枠形状を対象とする駒ごとに異なる枠形状を採用して、ゲームプレーヤがチェック又は塗りつぶしを行う場所を間違わないように予防するようにしている。しかし、この図７に例示するゲーム盤面シート１０では、街及び家に対応するチェックボックス１３、１３Ａを前述した実施の形態のように夫々別々に用意するのではなく、一つの線枠で構成された三角形状のチェックボックス１３で構成し、そのチェックボックス１３へのチェックの仕方で街又は家の配置として見做すように前記ゲームルールで定めたものである。
【００４８】
つまり、「三角形の各辺をなぞる（囲む）と家、中を塗りつぶすと街」といったようにチェックの仕方で配置したと見做す駒を差別化するようにしている。このようにチェックの仕方で一つのチェックボックスを利用して２種類以上の駒の配置を行ったと見做すように構成することによって、ゲーム盤面シート１０の小型化を可能にすることができる。詳しくは、前記ゲームルールにしたがって、ゲーム盤面シート１０上の駒を配置する可能性のある複数の部位１２，・・・，１２の中の一つの部位１２に対して、一つの枠線を配置するように構成しているから、前記一つの部位１２に対して、複数の枠線からなるチェックボックスの複数を配置することによる視認の困難化を回避することが可能となるのである。
【００４９】
また、盗賊カード５に関しても、前述した盗賊カード５ではポストイットのように複数回の接着が可能なように、当該盗賊カード５の裏面に接着層を設けているが、この変形例では図示しないが、コストを廉価にする目的から、手で折り畳み可能な程度の厚みを有する紙又は樹脂シートからなる盗賊カードを用意し、当該盗賊シートを断面く字状の外形三角柱形状に折り曲げて、前記ゲーム盤面シート１０の六角形状領域１１Ａに配置するようにしている。
【００５０】
しかも、この変形例の前記ゲームセットにおいては、ミニカプセルダイス２やカラーペン１の４色を同梱しておらず、ゲーム盤面シート１０の複数と、各種カード３，４が一つの前記包装体に同梱して提供するようにしている。したがって、ダイス２やカラーペン１は各ゲームプレーヤで用意してゲームプレーすることになるが、前記ダイス２やカラーペンは、一般的な家には別の目的で所有していることが多く、もし所有していないとしても購入しようとしれば容易に購入可能であるため、同梱しないことによる問題は軽微なものである。
【００５１】
【発明の効果】
以上説明したこの発明によれば、複数のゲームプレーヤで所定のゲームルールにしたがってゲームプレーを行うことが可能なゲーム盤面シートであって、当該ゲーム盤面シートの表面には、ゲームプレーフィールドを印刷形成するとともに、前記ゲームルールに則って前記ゲームプレーヤが自らの意思で前記ゲームプレーフィールド上に駒を配置する可能性のある複数の部位に、前記ゲームプレーヤが筆記具によってチェックを入れる又は塗りつぶすことで前記駒を配置したと見做すためのチェックボックスを設けるから、振動による使用駒の飛散をマグネットなどの特別な部材を使用してコストアップとなることなく解消し、且つ、ゲーム盤面シートを安価に提供可能とすることができる。また、安価に提供できることからゲーム盤面シートをゲームごとに使い切る方式を採用したり、記録シートとして使用するなどの多様な使用方式をゲームプレーヤが選択又は兼用することが可能となる。
【図面の簡単な説明】
【図１】この発明を適用したボードゲームの同一梱包されるボードゲームセットを示す説明図である。
【図２】図１に示すボードセットのゲーム盤面シートの表面構成を示す平面図である。
【図３】図２に示すゲーム盤面シートの拡大平面図である。
【図４】この発明を適用したボードゲームの遊び方を説明するための説明図である。
【図５】この発明を適用したボードゲームの遊び方を説明するための説明図である。
【図６】この発明を適用したボードゲームの遊び方を説明するための説明図である。
【図７】ゲーム盤面シートの変形例を示す平面図である。
【符号の説明】
１　　　　　　　　　　　カラーペン
２　　　　　　　　　　　ミニカプセルダイス
３　　　　　　　　　　　資源カード
４　　　　　　　　　　　チャンスカード
５　　　　　　　　　　　盗賊カード
１０　　　　　　　　　　　ゲーム盤面シート
１１　　　　　　　　　　　ゲームプレーフィールド
１２　　　　　　　　　　　駒を配置する可能性のある部位
１３　　　　　　　　　　　駒を配置したと見做すためのチェックボックス
１４，１５，１６　　　　　使用可能駒数管理チェックボックス
１７　　　　　　　　　　　カラーチェックボックス
１８　　　　　　　　　　　使用可能駒数管理チェックボックス群の形成領域
１９　　　　　　　　　　　道を形成可能な帯状領域
【図１】
2004105361.tif 000003
【図２】
2004105361.tif 000004
【図３】
2004105361.tif 000005
【図４】
2004105361.tif 000006
【図５】
2004105361.tif 000007
【図６】
2004105361.tif 000008
【図７】
2004105361.tif 000009